(57)【要約】【課題】光伝送路の障害が発生した場合に、これを検知して光出力を低減させる光送受信装置を提供する。【解決手段】送信電気信号を光信号に変換して送出する光送信部と、光入力信号を受信電気信号に変換する光受信部とを含む光送受信装置において、受信電気信号に生ずる異常を検出する異常検出手段と、かかる信号異常の検出状態に応じて光送信部の出力レベルの大きさを調整する出力レベル調整手段とを含む出力制御部を設ける。信号の異常は、受信電気信号に含まれる同期信号の欠落や受信電気信号内に生ずる信号エラーによって検出しても良い。【選択図】  図１
2005033401.tif 000002
【特許請求の範囲】
【請求項１】
送信電気信号を光信号に変換してこれを光ファイバを介して送出する光送信部と、光ファイバを介して到来する光入力信号を受信電気信号に変換する光受信部と、前記受信電気信号の状態に応じて前記光送信部の出力レベルを制御する出力制御部とを含む光送受信装置であって、
前記出力制御部は、
前記受信電気信号内に生ずる信号の異常を検出して異常検出信号を生成する異常検出手段と、
前記異常検出信号に応じて前記出力レベルの大きさを調整する出力レベル調整手段とを含むことを特徴とする光送受信装置。
【請求項２】
前記出力レベル調整手段は、前記異常検出信号の発生頻度に応じて前記出力レベルの大きさを段階的又は連続的に調整することを特徴とする請求項１に記載の光送受信装置。
【請求項３】
前記異常検出手段は、前記受信電気信号に含まれる同期信号の欠落を検知して前記異常検出信号を生成することを特徴とする請求項１又は請求項２に記載の光送受信装置。
【請求項４】
前記異常検出手段は、前記受信電気信号内に生ずる信号エラーを検知して前記異常検出信号を生成することを特徴とする請求項１又は請求項２に記載の光送受信装置。
【請求項５】
前記光入力信号の受光レベルの低下を検出してレベル低下信号を生成する受光レベル検出段をさらに含み、
前記出力レベル調整手段は、前記異常検出信号若しくは前記レベル低下信号に応じて前記出力レベルの大きさを調整することを特徴とする請求項１に記載の光送受信装置。
【発明の詳細な説明】
【０００１】
【発明の属する技術分野】
本発明は、例えば、光ファイバ・ケーブルを介して光信号の授受を行う光送受信装置等に関する。
【０００２】
【従来の技術】
近年、光ファイバ・ケーブルの価格の低下や、光伝送技術の進歩に伴い、光ファイバ・ケーブルを利用する光送受信装置が通常のオーディオ・ビジュアル装置にまで内蔵され、一般の家庭にも広く普及しつつある。しかしながら、このような光送受信装置の使用中に、例えば、光ファイバ・ケーブルの断線や光コネクタの離脱等の不具合があると、光ビームが光送受信装置の外部に放出されることになる。
【０００３】
従来、このような不具合を防止すべく、例えば、光送受信装置の光出力部に光シャッタを設け、光コネクタ或いは光ファイバ・ケーブルが装置から外れた場合、当該光シャッタを用いて光ビームを遮断する技術が特許文献１に開示されている。また、相手側装置からの光信号の受光レベルを判定して、かかる受光レベルが所定の閾値以下に低下した場合、光ファイバ・ケーブルの断線や光コネクタの離脱等の不具合が発生したものと判断し、光出力部のパワーを低減させるという技術も特許文献２に開示されている。
【０００４】
しかしながら、機械的な構造を必要とする光シャッタは、装置構造の複雑化を招き、更に、機械的な動作による故障発生率の増加も無視することはできない。一方、受光レベルの判定を行う場合は、受光レベル判定の為の素子、或いは回路を新たに必要とするので、同様に装置構造の複雑化を招くことになる。また、受光レベルは、伝送路として使用される光ファイバ・ケーブルの減衰率や、伝送される光信号のダイナミックレンジによって変動するので、受光レベルの判定閾値の選択によっては、頻繁に誤動作を招くという問題も存在する。
【０００５】
【特許文献１】
特開２０００−１３１５６６号公報
【０００６】
【特許文献２】
特開２００３−３２１８９号公報
【０００７】
【発明が解決しようとする課題】
本発明が解決しようとする課題には、例えば、光伝送路の障害が発生した場合にこれを検知して光出力を低減させる光送受信装置を提供することが一例として挙げられる。
【０００８】
【課題を解決するための手段】
請求項１に記載の発明は、送信電気信号を光信号に変換してこれを光ファイバを介して送出する光送信部と、光ファイバを介して到来する光入力信号を受信電気信号に変換する光受信部と、前記受信電気信号の状態に応じて前記光送信部の出力レベルを制御する出力制御部とを含む光送受信装置であって、前記出力制御部は、前記受信電気信号内に生ずる信号の異常を検出して異常検出信号を生成する異常検出手段と、前記異常検出信号に応じて前記出力レベルの大きさを調整する出力レベル調整手段とを含むことを特徴とする。
【０００９】
【発明の実施の形態】
図１に示される本発明の第１の実施例である光送受信装置１は、例えば、ビデオディスクの再生装置やデジタル放送受信装置等の、いわゆるオーディオ・ビジュアルソースの供給制御装置（以下、単に“ＡＶ制御装置”と称する）に内蔵されている。そして、かかるＡＶ制御装置に内蔵された光送受信装置１は、光コネクタ２及び光ファイバ・ケーブル３を介して、例えば、壁掛型テレビや大画面ディスプレイパネル等のオーディオ・ビジュアル端末装置（以下、単に“ＡＶ端末装置”と称する）に内蔵された光送受信装置１と接続される。
【００１０】
図１において、光送信部１１は、例えば、レーザーダイオードなどの電気・光変換素子、及び同素子の励振回路や、その制御回路等の周辺回路から構成されている。即ち、光送信部１１は、光送受信装置１の送信制御部（図示せず）から供給される映像信号や同期信号などの送信電気信号を送信光信号に変換する部分である。
【００１１】
光受信部１２は、例えば、フォトトランジスタやフォトダイオード等の光・電気変換素子、及びこれらの素子によって電気信号に変換された受信信号の復調回路等から構成されている。光受信部１２で復調された受信電気信号は、光送受信装置１の受信制御部（図示せず）、及び後述する同期信号検出回路２１に供給される。なお、受信電気信号には、例えば、ＡＶ端末装置における状態監視信号や、ＡＶ端末装置からＡＶ制御装置に対する各種の要求信号が含まれている。
【００１２】
出力制御部２０は、光受信部１２で復調された受信電気信号の状況に応じて、光送信部１１から送出される光信号の出力を制御する出力制御信号を生成する回路であり、主に、異常検出手段としての同期信号検出回路２１、出力レベル調整手段としての制御回路２２、及びメモリ回路２３から構成されている。
同期信号検出回路２１は、光受信部１２で復調された受信電気信号に含まれる同期信号を検出する回路であり、同期信号の検出状態を制御回路２２に通知する。制御回路２２は、主に、マイクロコンピュータ及びその周辺回路から構成されており、出力制御部２０全体を統括して制御する部分である。メモリ回路２３は、ＲＡＭやＲＯＭ等の記憶素子、及びこれらの周辺回路から構成されている。メモリ回路２３のＲＯＭには、出力制御部２０の処理動作を規定する各種のプログラムが格納されている。そして、制御回路２２のマイクロコンピュータが、内蔵されるクロック信号に同期して、かかるプログラムを１ステップずつ実行することにより出力制御部２０における各種の動作処理が実行される。また、メモリ回路２３のＲＡＭは、かかる動作処理の過程において各種のフラグ類や演算値の一時的な記憶エリアとして用いられる。
【００１３】
次に、出力制御部２０における処理動作を、図２のフローチャートを参照しつつ説明する。図２のフローチャートに示される処理は、光送受信装置１の動作中、常時繰り返して起動されるようにしても良いし、或いは、制御回路２２に内蔵されるタイマー（図示せず）によって、所定の時間間隔をおいて起動されるようにしても良い。なお、同フローチャートに示される処理プログラムは、メモリ回路２３のＲＯＭ内の所定の領域に予め記憶されていることは言うまでもない。
【００１４】
図２のフローチャートに示される処理プログラムが所定のタイミングで起動されると、先ず、同期信号検出回路２１は、ステップＳ１１において光受信部１２から出力される復調後の受信電気信号を取り込む。そして、次のステップＳ１２において、受信電気信号に含まれる同期信号の検出処理を実行する。
ステップＳ１２における同期信号検出処理は、実際に用いられるＡＶ制御装置とＡＶ端末装置との間の信号伝送方式に依存するものであり、かかる信号伝送方式に応じて種々の検出処理方法を用いることができる。例えば、同期信号として特定のビットパターンを予め定めておき、復調された受信電気信号のシリアルビット列の中から、かかるビットパターンを検索して同期信号を検出するようにしても良い。或いは、特定周波数の同期クロック信号を受信信号に重畳させておき、かかる同期クロック信号の検知を以て、同期信号の検出が為されたものとしても良い。
【００１５】
その後、ステップＳ１３において、ステップＳ１２での同期信号の検出が正常に為されているか否かが判断される。
同期信号の検出状態が正常か否か、即ち、同期信号の欠落頻度が光送受信装置における受信処理の障害となるか否かの判断は、例えば、一定の時間長を有するタイマーを設けて、かかる時間内に所定回数以上、若しくは所定時間以上に亘り同期信号が検出されたか否かをもって判断するようにしてもよい。或いは、同期信号の欠落を示す検出信号が単位時間内に所定の回数以上検出されたか否かによって判断するようにしても良い。
【００１６】
ステップＳ１３で同期信号が正常に検出されていると判断された場合、制御回路２２は、ステップＳ１４に進み、光送信部１１からの光信号の送出パワーを所定の値に維持する出力制御信号を生成し、これを光送信部１１に供給する。そして、ステップＳ１１へ戻り以上に説明した処理を繰り返す。なお、かかる処理の繰り返しによる処理動作の偏重を回避すべく、例えば、図２のフローチャートにおけるステップＳ１１への繰り返しループの途中において、制御回路２２の処理を一旦、メインプログラム（図示せず）に戻すようにしても良い。
【００１７】
一方、ステップＳ１３において、同期信号の検出が正常に為されていないと判断された場合は、相手側装置側から光受信部１２に光信号が正常に着信していないことを意味するものである。即ち、この場合は、光伝送システムにおいて光コネクタ２、或いは光ファイバ・ケーブル３に何らかの障害が発生している可能性がある。
【００１８】
それ故、制御回路２２は、ステップＳ１５に移り、光送信部１１から送出される光信号の出力を低減させる出力制御信号を生成し、これを光送信部１１に供給して図２に示される処理を終了させる。
なお、本実施例では、同期信号の検出が正常に為されているか否かを判断して、光送信部１１から送出される光信号の出力を低減させるという単純な出力制御を行う場合を例に取って説明を行った。しかしながら、本発明の実施の形態は、かかる事例に限定されるものではない。
【００１９】
例えば、前述した所定時間内における同期信号の検出回数若しくは、同期検出継続時間の割合をもって同期信号の検出状態を定量的に把握して、かかる検出状態を示す値に応じて光送信部１１から送出される光信号の出力を段階的に低減させるようにしても良い。或いは、光送信部１１から送出される光信号の出力値を検出状態を示す値を変数とした所定の関数で定義しておき、かかる変数に応じて光信号の出力を連続的に調整するようにしても良い。
【００２０】
次に、図３に示される本発明の第２の実施例について説明を行う。本実施例は、第１の実施例で説明した光送受信装置をＤＶＤレコーダや、壁掛け型テレビに実装し、対向して使用した場合の事例を示すものである。以下、図３に示される光送受信装置１ａについての説明を行う。
光送受信装置１ａは、主に、光送信部１１ａ、光受信部１２ａ、異常検出手段及び出力レベル調整手段としての同期信号判定部２０ａから構成されている。また、対向して使用される２つの光送受信装置１ａの各々は、それぞれの光送信部１１ａと光受信部１２ａとを、光ファイバ等の光伝送線路３を介して結合する光コネクタ２を備えている。なお、光送受信装置１ａは、必ずしも対向する光伝送システムの双方に設ける必要はなく、少なくともその一方に設けられれば良い。
【００２１】
同期信号判定部２０ａは、有効データ抽出時に必要とされる同期信号を検出する回路と、同期信号の検出時間或いは検出数を定めこれを所定の基準値と比較判定する回路を有する。即ち、同期信号判定部２０ａは、光受信部１２ａからの受信電気信号からそれに含まれる同期信号が基準となる所定時間、或いは、所定数検出されないことを判定して、光送信部１１ａにその出力を低減させる制御信号を供給する。
【００２２】
光送信部１１ａは、主に、半導体レーザーダイオード等の発光素子、モニタ光受光素子、発光素子の駆動回路、及び光出力制御回路等から構成されている。駆動回路は、発光素子にバイアス電流信号と変調電流信号を与える回路である。即ち、光送受信装置１ａの制御部（図示せず）から駆動回路に送信電気信号が入力されると駆動回路から変調電流信号が発光素子に出力され、かかる変調電流信号の高レベル又は低レベルに応じて発光素子から送信光信号が出力される。送信光信号の光パワーは、モニタ光受光素子によって常に監視されており、光出力制御回路は、モニタ光受光素子から出力される監視信号が一定のレベルとなるように発光素子に供給するバイアス電流信号の値を調整する。一方、光出力制御回路に、後述する同期信号判定部２０ａから光パワー低減信号が供給されると、光出力制御回路は、発光素子に供給するバイアス電流信号の値を調整して、送信光信号の光パワーを低減させる。
【００２３】
光受信部１２ａは、主に、受光素子、受信信号識別回路等から構成されている。光受信部１２ａに受信光信号が入力されると、光受信部１２ａは、受信光信号の高レベル又は低レベルに応じた受信電流信号を生成する。受信信号識別回路は、かかる受信電流信号を増幅すると共にこれに一定の波形整形処理を施して、所定のフォーマットの受信電気信号に変換する。
【００２４】
同期信号判定部２０ａは、主に、同期検出回路、検出数値・時間生成回路、比較判定回路から構成されている。比較判定回路は、検出数値・時間生成回路が生成する同期信号の検出数或いは検出時間と、実際に同期検出回路によって検出される同期信号の検出数或いは検出時間との比較判定を行う回路である。即ち、同期信号の検出数或いは検出時間が所定の基準値に達しない場合、比較判定回路は、光送信部１１ａに対して光パワー低減信号を出力する。
【００２５】
次に、光送受信装置１ａの動作について説明を行う。
先ず、光受信部１２ａに受信光信号が入力されて、正常な受信電気信号が復調された場合、同期信号判定部２０ａは、上述の光パワー低減信号を光送信部１１ａに供給しないので、光送信部１１ａからは、通常動作時の光パワーレベルで送信光信号が出力される。一方、光コネクタ２が外れたり光伝送路３が断線したような場合は、光受信信号が光受信部１２ａに到達せず、当然に受信電気信号において同期信号を正常に検出することができなくなる。これによって同期信号判定部２０ａから光パワー低減信号が光送信部１１ａに出力されて、光送信部１１ａは、送出する光送信信号の光パワーレベルを低減させる。
【００２６】
図３の光伝送システムで用いられる同期信号を含む伝送データフォマットの概念を図４に示す。一般的に、データ通信を行うときは、送受信装置間で伝送データの開始部とその終端部を認識するため、例えば、特定のビットパターンを有する同期信号データが、図４に示される如く、伝送データ中に挿入される。図３の同期信号判定部２０ａは、かかる同期信号を同期検出回路で検出して、検出数値・時間生成回路によって予め定めた一定の時間内に、所定数の同期信号が検出されない場合に上述の光パワー低減信号を生成するのである。
【００２７】
すなわち、光送受信装置１ａは、光受信部１２ａの出力である受信電気信号内に生ずる信号の異常を検出して異常検出信号を生成する同期検出回路、検出数値・時間生成回路、比較判定回路、及びかかる異常検出信号に応じて光送信部１１ａから出力される送信光信号の大きさを調整する光出力制御回路を含んでいる。
従って、光送受信装置１ａは、光コネクタ２が正しく接続されず、或いは光伝送路３が切断され、受信光信号が入力されない状態になると、かかる状態を検出して送信光信号の光パワーレベルを通常動作時よりも低減させるように動作する。この結果、光コネクタの離脱や光ファイバ・ケーブルの断線によって光伝送路に開口部が生じた場合でも、速やかに送信光信号の光パワーレベルが抑制されるので開口部からの光ビームの放射が防止できる。
【００２８】
次に、図５に示される本発明の第３の実施例である光送受信装置４について説明を行う。なお、本実施例において、光送受信装置４が設けられている環境や、同装置を構成する光送信部１１、光受信部１２、及び光コネクタ２、光ファイバ・ケーブル３に関しては、第１の実施例と同様であるのでその説明を割愛する。
同図に示される出力制御部３０は、光受信部１２で復調された受信電気信号に発生する受信信号エラーの状況に応じて、光送信部１１からの送出される光信号の出力を制御する出力制御信号を生成する回路であり、主に、異常検出手段としての信号エラー検出回路３１、出力調整手段としての制御回路３２、及びメモリ回路３３から構成されている。
【００２９】
信号エラー検出回路３１は、光受信部１２で復調された受信電気信号における信号エラーを検出する回路であり、受信信号におけるエラーの検出状態を制御回路３２に通知する。制御回路３２は、主に、マイクロコンピュータ及びその周辺回路から構成されており、出力制御部３０全体を統括して制御する部分である。メモリ回路３３は、ＲＡＭやＲＯＭ等の記憶素子、及びそれらの周辺回路から構成されている。メモリ回路３３のＲＯＭには、出力制御部３０の処理動作を規定する各種のプログラムが格納されている。そして、制御回路３２のマイクロコンピュータが内蔵されるクロック信号に同期して、かかるプログラムを１ステップずつ実行することにより出力制御部３０における各種の動作処理が実行される。また、メモリ回路３３のＲＡＭは、かかる動作処理の過程において各種のフラグ類や演算値の一時的な記憶エリアとして用いられる。
【００３０】
次に、出力制御部３０の処理動作を図６のフローチャートを参照しつつ説明する。同フローチャートに示される処理プログラムは、光送受信装置４の動作中に常時繰り返し起動されるようにしても良いし、或いは、制御回路３２に内蔵されるタイマー（図示せず）によって、所定の時間間隔を置いて起動されるようにしても良い。なお、同処理プログラムは、メモリ回路３３のＲＯＭ内の所定の領域に予め記憶されていることは言うまでもない。
【００３１】
図６の処理プログラムが所定のタイミングで起動されると、先ず、信号エラー検出回路３１は、ステップＳ２１において光受信部１２から出力される復調後の受信電気信号を取り込む。そして、次のステップＳ２２で、受信電気信号におけるエラー率の検出処理を実行する。
受信電気信号における信号エラーの検出方式としては、光伝送システムを構成するＡＶ制御装置と、ＡＶ端末装置との間の信号伝送方式に応じて種々の方式を用いることができる。
【００３２】
例えば、単に、伝送信号に付される垂直パリティ、若しくは水平パリティのチェックのみを以て受信信号のエラーを検知するようにしても良い。或いは、両装置間における信号伝送フォーマットをデータの連送、又は反転連送を行う形に定めておき、受信側で係る伝送フォーマットによるデータの連送照合を行うことによりエラーを検知するようにしても良い。また、５Ｃ２や３Ｃ１などの定マークエラー検定符号をデータ中に含めて伝送して、受信側で係る検定符号を用いて受信データのエラーを検知するようにしても良い。
【００３３】
信号エラー検出回路３１は、検出した信号エラーをエラー率として数値化すべく、例えば、所定ビット長のデータを受信する際に発生したエラービットの数を以てエラー率を定義しても良い。或いは、所定時間内に発生するエラー状態の継続時間をもってエラー率を定めても良い。信号エラー検出回路３１は、かかるエラー率を算出するとこれを制御回路３２に通知する。
【００３４】
また、伝送データにハミング符号やＢＣＨ符号等のいわゆるエラー訂正符号を付加する場合は、復調された受信信号についてのエラー検出のみならず、受信信号についてのエラー訂正処理を施すことも可能である。従って、この場合は、受信信号についてのエラー訂正処理の結果であるエラー訂正率を以て上述のエラー率としても良い。
【００３５】
なお、ＡＶ端末装置において、同装置からＡＶ制御装置へ送信する信号（上り信号）のデータフォーマットや、信号エラー検知方式或いはエラー訂正符号の形式について複数の方式の中から選択できる場合は、かかる選択に関する指令情報をＡＶ制御装置からＡＶ端末装置への信号（下り信号）の中に含めるようにしても良い。
【００３６】
ステップＳ２２におけるエラー率の検出処理が終了すると、次のステップＳ２３において、検出された受信信号のエラー率についての判断が行われる。
すなわち、ステップＳ２３において、検出された受信信号のエラー率が所定の閾値と比較され同閾値の許容範囲内であると判断された場合、制御回路３２はステップＳ２４に進む。そして、光送信部１１から送出されるの光信号の出力を所定の値に維持する出力制御信号を生成してこれを光送信部１１に供給する。
【００３７】
その後、制御回路３２は、ステップＳ２１に戻って、以上に説明した処理を繰り返す。なお、かかる処理の繰り返しによる処理動作の偏重を回避すべく、例えば、図６のフローチャートに示される繰り返しループの途中において、制御回路３２の処理を、一旦、メインプログラム（図示せず）に戻すようにしても良い。
一方、ステップＳ２３において、エラー率の値が所定の閾値の許容範囲を超えていると判断された場合は、光受信部１２に光信号が正常に受信されていないことを意味している。即ち、この場合は、光伝送路を構成する光コネクタ２、或いは光ファイバ・ケーブル３に、コネクタの離脱やファイバの断線等の何らかの障害が発生している可能性がある。
【００３８】
それ故、制御回路３２は、ステップＳ２５に移って光送信部１１からの光信号の出力を低減させる出力制御信号を生成し、これを光送信部１１に供給して図６に示される処理を終了させる。
なお、本実施例では、受信信号のエラー率が所定の閾値を超えた場合に、光送信部１１から送出される光信号の出力を低減させるという単純な出力制御例を説明した。しかしながら、本発明の実施の形態は、かかる事例に限定されるものではない。例えば、受信信号のエラー率に関して複数の閾値を設けておき、各閾値の段階に応じて光送信部１１から出力される光信号のパワーを段階的に低減させるようにしても良い。或いは、受信信号のエラー率と光送信部１１から送出される光信号の出力との間に所定の関数を定めておき、エラー率の大きさに応じて光信号の出力を連続的に変化させるようにしても良い。
【００３９】
次に、図７に示される本発明の第４の実施例について説明を行う。本実施例は、第３の実施例で説明した光送受信装置をＤＶＤレコーダや、壁掛け型テレビに実装し、対向して使用した場合の事例を示すものである。以下に、図７に示される光送受信装置４ａについての説明を行う。なお、光送受信装置４ａは、必ずしも対向する光伝送システムの双方に設ける必要はなく、少なくともその一方に設けられていれば良い。
【００４０】
光送受信装置４ａは、主に、光送信部１１ａ、光受信部１２ａ、異常検出手段及び出力レベル調整手段としてのエラーレート判定部３０ａから構成されている。なお、エラーレート判定部３０ａ以外の各構成要素に関しては、前述した第２の実施例と同様であるのでその説明を省略する。
エラーレート判定部３０ａは、主に、エラー検出回路、基準レート生成回路、及び比較判定回路から構成されている。
【００４１】
エラー検出回路は、受信データに対するシンドロームの等の計算によって受信電気信号におけるエラーレートを算出する回路である。なお、エラー検出回路の内部に実施例２で説明した同期検出回路の機能をも含めて、受信電気信号における同期信号の検出も含めてエラーレートを算出するようにしても良い。基準レート生成回路は、予め定められた基準となるエラーレートの値を生成する回路である。比較判定回路は、受信電気信号から検出されたエラーレートと所定のエラーレート基準値とを比較して、検出値が基準値よりも劣化した場合に、送信光信号の出力パワーを低減させる光パワー低減信号を光送信部１１ａに出力する回路である。
【００４２】
エラー検出回路におけるエラー検出並びにエラー訂正の方式としては、実際の光伝送システムの構成に応じて種々の方式を用いることができる。
単に、エラー検出のみを行うのであれば、例えば、伝送されるデータブロックに水平若しくは、垂直パリティを付加したパリティチェックによるものでも良いし、或いは、伝送データブロックに複数の冗長ビットを付加して誤り検出の精度を高めたサイクリックチェック方式を用いるようにしても良い。
【００４３】
また、エラー検出回路において、エラー検出だけではなくてエラー訂正も含めて行うようにするのであれば、例えば、伝送データにリードソロモン符号やＢＣＨ符号を用いたエラー訂正処理を施すようにしても良い。なお、エラー検出回路においてエラー訂正まで行う場合には、光伝送システムのデータの送信側で、伝送データにエラー訂正符号を付加する処理が必要となる。即ち、光送受信装置４ａの送信制御部（図示せず）において、送信電気信号に対してエラー訂正コードを付加するエラー訂正コード付加回路を設け、かかる回路において所定の処理を行うものとする。
【００４４】
次に、光送受信装置４ａの動作について説明を行う。
光受信部１２ａに受信光信号が入力されて、同回路から正常な受信電気信号が復調出力されている場合、エラーレート判定部３０ａは、光パワー低減信号を光送信部１１ａに供給しないので、光送信部１１ａからは通常動作時の光パワーレベルで送信光信号が出力される。一方、光コネクタ２や光ファイバ・ケーブル３などの光伝送路に離脱や断線等の障害が生ずると受信光信号の入力が妨げられ、光受信部１２ａから出力される受信電気信号のエラーレートが悪化する。この結果、エラーレート判定部３０ａから光パワー低減信号が光送信部１１ａに供給され、光送信部１１ａから出力される送信光信号の光パワーが低減される。
【００４５】
なお、図８に、基準レート生成回路で生成されたエラーレート基準値と、エラーレート検出回路により算出されたエラーレートとの関係を示す。
同図の実線によって示されるエラーレートの変化特性の事例から明らかな如く、エラーレート判定部３０ａは、エラーレート検出回路により算出されるエラーレートが所定のエラーレート基準値を超えて劣化した時点で、光パワー低減信号を光送信部１１ａに出力する。或いは、ある一定時間内におけるエラーレートの変化率を基準値と定めて、同図の一点鎖線によって示されるエラーレートの変化特性の如く、エラーレート検出回路により算出されるエラーレートの変化率が係る基準値を超えて変化したときに、光パワー低減信号を光送信部１１ａに出力するようにしても良い。因みに、後者の方式を採ることによって、エラーレートが所定のエラーレート基準値まで劣化する前に、光送信部１１ａから送出される光パワーを低減させることが可能となる。
【００４６】
以上に説明した如く、光送受信装置４ａは、光受信部１２ａの出力である受信電気信号内に生ずる信号の異常を検出して異常検出信号を生成するエラー検出回路、基準レート生成回路、比較判定回路、及びかかる異常検出信号に応じて光送信部１１ａから出力される送信光信号の大きさを調整する光出力制御回路を含んでいる。
【００４７】
従って、光送受信装置４ａは、光コネクタ２が正しく接続されず、或いは光ファイバ・ケーブル３が切断され、受信光信号が入力されない状態になると、かかる光伝送路の異常を検出して送信光信号の光パワーレベルを通常動作時よりも低減させるように動作する。この結果、光伝送システムにおける光コネクタや光ファイバの離脱・断線により光伝送路に開口部が生じた場合でも、速やかに送信光信号の光パワーレベルが抑制されるので、開口部からの光ビームの放射が防止できる。
【００４８】
次に、図９に示される本発明の第５の実施例である光送受信装置５について説明を行う。なお、本実施例において、光送受信装置５が設けられている環境や、同装置を構成する光送信部１１、光受信部１２、及び光伝送路を構成する光コネクタ２、光ファイバ・ケーブル３に関しては、各実施例と同様であるのでその説明を割愛する。
【００４９】
図９において異常検出手段及び出力レベル調整手段としての出力制御部４０は、光受信部１２で復調された受信電気信号の状況、及び受信光信号の受光レベルに応じて、光送信部１１から送出される光信号の出力を調整する出力制御信号を生成する回路である。出力制御部４０は、主に、信号障害検出回路４１、制御回路４２、メモリ回路４３、及び受光レベル検出回路４４から構成されている。
【００５０】
信号障害検出回路４１は、光受信部１２で復調された受信電気信号に生ずる障害を検出して、かかる障害の発生状況を制御回路４２に通知する回路である。なお、受信電気信号に生ずる障害とは、復調された受信電気信号に何らかの障害が生ずる事象を示すものであり、例えば、第１の実施例における同期信号の欠落や、第２の実施例における受信信号エラーの発生を意味するものである。或いは、これらの障害事象の論理和をもって、受信電気信号における障害の発生と定義しても良い。
【００５１】
制御回路４２は、主に、マイクロコンピュータ及びその周辺回路から構成されており、出力制御部４０全体を統括して制御する部分である。メモリ回路４３は、ＲＡＭやＲＯＭ等の記憶素子、及びそれらの周辺回路から構成されている。メモリ回路４３のＲＯＭには、出力制御部４０の処理動作を規定する各種のプログラムが格納されている。そして、制御回路４２のマイクロコンピュータが内蔵されるクロック信号に同期して、かかるプログラムを１ステップずつ実行することにより出力制御部４０における各種の動作処理が実行される。また、メモリ回路４３のＲＡＭは、かかる動作処理の過程において各種のフラグ類や演算値の一時的な記憶エリアとして用いられる。
【００５２】
受光レベル検出回路４４は、例えば、フォトトランジスタやフォトダイオード等の光・電気変換素子を用いて受信光信号の受光レベルの大きさを検出する回路である。なお、同回路において検出された受光レベルは所定の電圧レベルに変換されて制御回路４２に通知される。
次に、図９に示される出力制御部４０の処理動作について、図１０のフローチャートを参照しつつ説明する。同フローチャートに示される処理プログラムは、光送受信装置５の動作中に常時繰り返し起動されるようにしても良いし、或いは、制御回路４２に内蔵されるタイマー（図示せず）によって、所定の時間間隔をおいて起動されるようにしても良い。なお、同フローチャートに示される処理プログラムは、メモリ回路４３のＲＯＭ内の所定の領域に予め記憶されていることは言うまでもない。
【００５３】
図１０の処理プログラムが所定のタイミングで起動されると、先ず、受光レベル検出回路４４は、ステップＳ３１において受信光信号の受光レベルを検出する。そして、次のステップＳ３２において、制御回路４２は、かかる検出値が所定の正常な受光レベルであるか否かをチェックする。
ステップＳ３２において、受光レベルが正常ではないと判断された場合、光伝送系統に光コネクタ２の脱落や光ファイバ・ケーブル３の断線等の不具合が生じている可能性がある。それ故、制御回路４２は、ステップＳ３３に移り光信号の出力を低減させる出力制御信号を生成し、これを光送信部１１に供給して図１０に示される処理を終了させる。
【００５４】
一方、ステップＳ３２において受光レベルが正常であると判断された場合は、ステップＳ３４、Ｓ３５に移り、信号障害検出回路４１による受信信号の取込処理、及び受信信号における障害検出処理が行われる。
そして、次のステップＳ３６において受信信号に何らかの障害が発生していると判断されると、制御回路４２は、上記ステップＳ３３に移り光信号の出力を低減させる出力制御信号を生成し、これを光送信部１１に供給して図１０に示される処理を終了させる。
【００５５】
一方、ステップＳ３６において、受信信号に障害が発生していないと判断されると制御回路４２はステップＳ３７に進む。そして、光送信部１１からの光信号の出力を所定の値に維持する出力制御信号を生成してこれを光送信部１１に供給する。その後、制御回路４２は、ステップＳ３１に戻り以上に説明した処理を繰り返す。
【００５６】
なお、かかる処理の繰り返しによる処理動作の偏重を回避すべく、例えば、図１０のフローチャートに示される繰り返しループの途中において、制御回路４２の処理を、一旦、メインプログラム（図示せず）に戻すようにしても良い。
次に、図１１、及び図１２に示される本発明の第６、及び第７の実施例について説明を行う。これらの実施例は、第５の実施例で説明した光送受信装置をＤＶＤレコーダや、壁掛け型テレビに実装し、対向して使用した場合の事例を示すものである。また、第６及び第７の各実施例は、前述した第２及び第４の各実施例にそれぞれ対応するものである。
【００５７】
すなわち、第６の実施例は、図３に示される第２の実施例に受光レベル判定部４０ａ等の回路を追加した構成となっている。また、第７の実施例は、図７に示される第４の実施例に同様の回路を追加した構成となっている。従って、第６及び第７の実施例に関しては、第２及び第４の実施例に追加された回路部分についてのみ説明を行う。
【００５８】
先ず、光受信部１２ｂに含まれる平均電流検出回路は、受光素子によって受信光信号から電流信号に変換された信号の一部を抽出してこれを平均化し、受光レベルに比例した電圧レベルを有する受光レベル検出信号を生成する回路である。
また、受光レベル判定部４０ａ主に、レベル比較判定回路、レベル生成回路から構成されている。レベル生成回路は、予め定めた受光レベルに対応する電圧レベルの基準値を生成する回路である。また、レベル比較判定回路は、平均電流検出回路から出力される受光レベル検出信号の値と、レベル生成回路からの基準値とを比較判定する回路である。そして、受光レベル検出信号の値が基準値よりも低下した場合、即ち、光伝送路に障害が生じて受信光信号の受光レベルが低下した場合に光パワー低減信号を光送信部１１ｂに出力する。
【００５９】
図１１に示される第６の実施例では、光送信部１１ｂの光出力制御回路が、受光レベル判定部４０ａからの光パワー低減信号と、同期信号判定部２０ａからの光パワー低減信号との論理和により送信光信号の光パワー低減の制御を行う。同様にして、図１２に示される第７の実施例では、光送信部１１ｂの光出力制御回路が、受光レベル判定部４０ａからの光パワー低減信号と、エラーレート判定部３０ａからの光パワー低減信号との論理和により送信光信号の光パワー低減の制御を行う。
【００６０】
以上に説明した如く、光送受信装置５ａは、光受信部１２ｂの出力である受信電気信号内に生ずる信号の異常を検出して異常検出信号を生成する同期検出回路、検出数値・時間生成回路、比較判定回路、及び光入力信号の受光レベルの低下を検出してレベル低下信号を生成する平均電流検出回路、レベル比較判定回路、レベル生成回路を含んでいる。更に同装置は、かかる異常検出信号若しくはレベル低下信号に応じて光送信部１１ｂから出力される送信光信号の大きさを調整する光出力制御回路を含んでいる。
【００６１】
同様に、光送受信装置５ｂは、光受信部１２ｂの出力である受信電気信号内に生ずる信号の異常を検出して異常検出信号を生成するエラー検出回路、基準レート生成回路、比較判定回路、及び光入力信号の受光レベルの低下を検出してレベル低下信号を生成する平均電流検出回路、レベル比較判定回路、レベル生成回路を含んでいる。更に同装置は、かかる異常検出信号若しくはレベル低下信号に応じて光送信部１１ｂから出力される送信光信号の大きさを調整する光出力制御回路を含んでいる。
【００６２】
従って、これらの装置は、光コネクタ２が正しく接続されず、或いは光ファイバ・ケーブル３が切断され、受信光信号が入力されない状態になると、かかる光伝送路の異常を検出して送信光信号の光パワーレベルを通常動作時よりも低減させるように動作する。この結果、光伝送システムにおける光コネクタや光ファイバの離脱・断線により光伝送路に開口部が生じた場合でも、速やかに送信光信号の光パワーレベルが抑制されるので、開口部からの光ビームの放射が防止できる。
【００６３】
以上に説明した本発明の各実施例において、光伝送システムの光伝送路として用いられる光ファイバ・ケーブル３は、複数の信号対が含まれる形式でも良いし、或いは１対のみの場合でも良い。さらに、各実施例における光送受信装置において、同期信号やエラーレートの検出状態、或いは送出される光パワーの出力状態等の各種の情報を表示させる表示部を設けるようにしても良い。
【００６４】
なお、以上に説明した各々の実施例において、出力制御部、或いは、同期信号判定部やエラーレート判定部等の機能をＩＣ化して、例えば、光受信部等の他の構成要素と一体化して構成しても良い。
【図面の簡単な説明】
【図１】図１は、本発明の第１実施例の光送受信装置の構成を示すブロック図である。
【図２】図２は、図１に示される光送受信装置の動作を示すフローチャートである。
【図３】図３は、本発明の第２実施例の光送受信装置、及びかかる装置を用いた光伝送システムの構成を示すブロック図である。
【図４】図４は、図３の光伝送システムにおける伝送データのフォーマットを示す説明図である。
【図５】図５は、本発明の第３実施例の光送受信装置の構成を示すブロック図である。
【図６】図６は、図５に示される光送受信装置の動作を示すフローチャートである。
【図７】図７は、本発明の第４実施例の光送受信装置、及びかかる装置を用いた光伝送システムの構成を示すブロック図である。
【図８】図８は、図７の光伝送システムにおけるエラーレートの変化特性と、光パワー低減信号の発生タイミングとの関係を示すタイミング図である。
【図９】図９は、本発明の第５実施例の光送受信装置の構成を示すブロック図である。
【図１０】図１０は、図９に示される光送受信装置の動作を示すフローチャートである。
【図１１】図１１は、本発明の第６実施例の光送受信装置、及びかかる装置を用いた光伝送システムの構成を示すブロック図である。
【図１２】図１２は、本発明の第７実施例の光送受信装置、及びかかる装置を用いた光伝送システムの構成を示すブロック図である。
【符号の説明】
１、１ａ、４、４ａ、５、５ａ、５ｂ  光送受信装置
２  光コネクタ
３  光ファイバー・ケーブル（光伝送路）
１１、１１ａ、１１ｂ  光送信部
１２、１２ａ、１２ｂ  光受信部
２０、３０、４０  出力制御部
２０ａ  同期信号判定部
２１  同期信号検出回路
２２、３２、４２  制御回路
２３、３３、４３  メモリ回路
３０ａ  エラーレート判定部
３１    信号エラー検出回路
４０ａ  受光レベル判定部
４１    信号障害検出回路
４４    受光レベル検出回路
【図１】
2005033401.tif 000003
【図２】
2005033401.tif 000004
【図３】
2005033401.tif 000005
【図４】
2005033401.tif 000006
【図５】
2005033401.tif 000007
【図６】
2005033401.tif 000008
【図７】
2005033401.tif 000009
【図８】
2005033401.tif 000010
【図９】
2005033401.tif 000011
【図１０】
2005033401.tif 000012
【図１１】
2005033401.tif 000013
【図１２】
2005033401.tif 000014